(57)【要約】【課題】網部材が支持部材の網正規位置に載置されないままグリル庫に収容されてしまうのを防止するグリルを提供する。【解決手段】焼き網３を備えるグリル１であって、焼き網３は、網部材４と支持部材５とを備え、網部材４は、平面視矩形の外枠４１と、外枠４１の左右間に架設される網体とで形成されると共に、左右一対で外枠４１の前辺部から後方に突設される前側の被支持部４３と、外枠４１の後辺部から前方に突設された後側の被支持部４４とを備え、前側の被支持部４３は窓部を有し、支持部材５は、後側の被支持部４４を支持する後網支持部５３ｂを後部５ｂに備え、前記窓部の左右の側端縁を夫々支持する左右一対の前網支持部５３ａと、前記窓部に嵌り込み網部材４の前後左右の位置を夫々規定する位置規定部７とを前部５ａに備える。【選択図】図３
2014102046.tif 000002
【特許請求の範囲】
【請求項１】
前方に開口する開口部を有するグリル庫と、前記開口部を介して前方へ移動可能で且つ後方へ移動して前記グリル庫内に収容可能なグリル皿と、前記グリル皿に載置される焼き網とを備えるグリルであって、
前記焼き網は、被加熱物が載置される網部材と、この網部材を支持し前記グリル皿に載置される支持部材とを備え、
前記網部材は、平面視矩形の外枠と、この外枠の左右に対向する２つの側辺部間に架設される被加熱物載置用の網体とで形成されると共に、
この網部材は、左右一対で前記外枠の前辺部から後方に突設される前側の被支持部と、前記外枠の後辺部から前方に突設される後側の被支持部とを備え、
前記前側の被支持部は、上下に開口する窓部を前記前辺部の後方に有し、
前記支持部材は、前記後側の被支持部を載置させて支持する後網支持部を、後部に備え、前記前側の被支持部の前記窓部の左右の側端縁を夫々載置させて支持する左右一対の前網支持部と、前記窓部に嵌り込み前記網部材の前後及び左右の位置を方向毎に夫々規定する位置規定部とを、前部に備えるものであることを特徴とするグリル。
【請求項２】
前記支持部材の前記前部には、前記外枠の前記前辺部から後方上向きに突設される上突出部と、前記上突出部の上部から後方下向きに突設される下突出部と備え、
前記網部材を前方において位置規定する前位置規定部を、前記上突出部に設け、
前記網部材を後方において位置規定する後位置規定部を、前記前位置規定部から後方に所定の間隔をおいて前記下突出部に設け、
この間隔の前後長さが、前記窓部の後端縁と前記網体の前端との間の前後長さに比べて長いものであることを特徴とする請求項１記載のグリル。
【請求項３】
前記網部材は、前後対称な形状になっており、
平面視において、前記網部材は、前記支持部材に支持される状態で、前記外枠の後辺部とその前方に位置する前記支持部材の前記後部との間に隙間を有するものであることを特徴とする請求項１または請求項２記載のグリル。
【発明の詳細な説明】
【技術分野】
【０００１】
本発明は、開口部を介してグリル庫に出し入れ自在に収容されるグリル皿と、グリル皿に載置される焼き網とを備えるグリルに関するものである。
【背景技術】
【０００２】
従来より広くグリルが利用されており、グリルは、開口部を介してグリル庫に出し入れ自在に収容されるグリル皿と、グリル皿に載置される焼き網とを備えている（例えば特許文献１参照）。焼き網には、載置される被加熱物からの油脂等の滓が付着するため、グリル皿から取り外して洗浄を行い、再びグリル皿に載置するものである。そして、焼き網は、グリル皿に載置される支持部材と、非加熱物を載置する網部材とで形成されており、網部材は、支持部材を介してグリル皿上に載置される。
【先行技術文献】
【特許文献】
【０００３】
【特許文献１】特開２００１−１６９９２７号公報
【発明の概要】
【発明が解決しようとする課題】
【０００４】
しかしながら、網部材が支持部材の所定の載置位置（網正規位置という）に載置されていない場合、網部材に載置された被加熱物が設計通りに加熱されない恐れがある。また、網正規位置に載置されていない前記場合において、振動や衝撃等によりグリル庫内で網部材が網正規位置から更にずれてしまうと、グリル庫からグリル皿および焼き網を引き出す際に、焼き網によりグリル庫が破損したり、グリル皿および焼き網を引き出せなくなったりする恐れがあった。
【０００５】
本発明は上記従来の問題点に鑑みて発明したものであって、その目的とするところは、焼き網において、網部材が支持部材の所定の載置位置に載置されないままグリル庫に収容されてしまうのを防止するグリルを提供することを課題とするものである。
【課題を解決するための手段】
【０００６】
上記課題を解決するために本発明は、前方に開口する開口部を有するグリル庫と、前記開口部を介して前方へ移動可能で且つ後方へ移動して前記グリル庫内に収容可能なグリル皿と、前記グリル皿に載置される焼き網とを備えるグリルであって、前記焼き網は、被加熱物が載置される網部材と、この網部材を支持し前記グリル皿に載置される支持部材とを備え、前記網部材は、平面視矩形の外枠と、この外枠の左右に対向する２つの側辺部間に架設される被加熱物載置用の網体とで形成されると共に、この網部材は、左右一対で前記外枠の前辺部から後方に突設される前側の被支持部と、前記外枠の後辺部から前方に突設される後側の被支持部とを備え、前記前側の被支持部は、上下に開口する窓部を前記前辺部の後方に有し、前記支持部材は、前記後側の被支持部を載置させて支持する後網支持部を、後部に備え、前記前側の被支持部の前記窓部の左右の側端縁を夫々載置させて支持する左右一対の前網支持部と、前記窓部に嵌り込み前記網部材の前後及び左右の位置を方向毎に夫々規定する位置規定部とを、前部に備えるものである
ことを特徴とする。
【０００７】
また、前記支持部材の前記前部には、前記外枠の前記前辺部から後方上向きに突設される上突出部と、前記上突出部の上部から後方下向きに突設される下突出部と備え、前記網部材を前方において位置規定する前位置規定部を、前記上突出部に設け、前記網部材を後方において位置規定する後位置規定部を、前記前位置規定部から後方に所定の間隔をおいて前記下突出部に設け、この間隔の前後長さが、前記窓部の後端縁と前記網体の前端との間の前後長さに比べて長いものであることが好ましい。
【０００８】
また、前記網部材は、前後対称な形状になっており、平面視において、前記網部材は、前記支持部材に支持される状態で、前記外枠の後辺部とその前方に位置する前記支持部材の前記後部との間に隙間を有するものであることが好ましい。
【発明の効果】
【０００９】
請求項１に係る発明にあっては、前後両方の位置規定部等を視認しながら、的確に網部材を前後両方の位置規定部に当接させることができる。このため、支持部材の前部側と後部側との共同で網部材の前後を位置決めさせる場合に比べて、容易に前後を位置決めさせた状態で網部材を支持部材に取り付けることが可能となる。これによって、網部材が支持部材の網正規位置に載置されないままグリル庫に収容されてしまうことによる問題点、すなわち、焼き網に載置された被加熱物が設計通りに加熱されない恐れがある点や、グリル庫内で網部材が網正規位置から更にずれてしまい、グリル庫からグリル皿および焼き網を引き出す際に、焼き網によりグリル庫が破損したり、グリル皿および焼き網を引き出せなくなったりする恐れがある点を解消することが可能となる。
【００１０】
また、請求項２に係る発明にあっては、請求項１に係る発明が奏する効果に加えて、上突出部及び下突出部の前記窓部の後端縁と前記網体の前端との間への挿通を抑制することができる。これによって、前後方向において、網部材の網正規位置からずれた位置への載置を抑制することができる。
【００１１】
また、請求項３に係る発明にあっては、請求項１または請求項２に係る発明が奏する効果に加えて、網部材において、前後向きの違いを無くすことができて、網部材の前後向きを特段区別せずに、支持部材に載置することができる。これによって、前後向きの違いにより誤った載置姿勢となることを抑制できる。そして、支持部材の前部より先に後部に載置した場合等において、網部材の前記前部への載置を行い易くし、且つ例えば使用者が網部材を前方に引張りながら前記前部に載置しようとした際に、網部材の前記後部からの脱落を抑制することができる。
【図面の簡単な説明】
【００１２】
【図１】本発明の一実施形態のグリル付きガスこんろの外観斜視図である。
【図２】同上におけるグリルの焼き網が載置されたグリル皿を引出した状態の斜視図である。
【図３】同上におけるグリルの焼き網が載置されたグリル皿の斜視図である。
【図４】同上における焼き網の平面図である。
【図５】図４におけるＣ−Ｃ断面図である。
【図６】同上における焼き網の支持部材の斜視図である。
【図７】同上における支持部材の平面図である。
【図８】同上における支持部材の背面図である。
【図９】同上における焼き網の網部材の斜視図である。
【図１０】同上における焼き網の網部材の他例の斜視図である。
【発明を実施するための形態】
【００１３】
以下、本発明の一実施形態について添付図面に基づいて説明する。本実施形態のグリルは、図１に示すように、グリル付きガスこんろ９が備えるグリル１となっており、グリル付きガスこんろ９は、外殻となるケーシング９１に、こんろ部９２とグリル１とを有する。本発明のグリル１は、このようなグリル付きガスこんろ９が備えるグリル１に限定されず、グリル１単体や、他の機器と組み合わされたグリル１であってもよい。ここで便宜上、図１〜１０中における符号Ｆの矢印の向く方向を前方とし、その逆方向（符号Ｂの矢印が向く方向）を後方とする。なお、前方（符号Ｆの矢印の方向）は、後述のグリル皿２の引き出し方向となっている。更に、この前後を基準に、左右方向を後方を向く時の左右方向とし、右を後方を向いた状態での右（符号ＬＲ１の矢印の方向）とし、左を後方を向いた状態での左（符号ＬＲ２の矢印の方向）とする。
【００１４】
ケーシング９１の左右方向の中央部には、グリル１（詳細は後述する）が設けてある。ケーシング９１の前面の右半部の上部には、各こんろ部９２用の加熱状態調節部９４が設けてある。そして、ケーシング９１の前面の左右の下部には、グリル１用の調理設定入力部を有する操作パネル９５と、こんろ部９２用の調理設定入力部を有する操作パネル９５とが設けてある。各操作パネル９５は、所謂カンガルーポケットで形成されており、ケーシング９１内に収容可能であるが、カンガルーポケットに限定されるものではなく、またケーシング９１内に収容可能でなくてもよい。
【００１５】
各こんろ部９２は、ガスバーナ等の加熱手段と、加熱手段用の点火装置と、点火を検出する点火検出装置とを備える。そして、グリル１にも同様に、ガスバーナ等の加熱手段と点火装置と点火検出装置とを備える。点火装置は、点火操作がなされると、制御部により点火動作が行われ、点火検出装置において検出された点火情報は制御部に認識されて、制御部により点火プラグでの点火処理が行われる。また、各加熱手段には、燃料供給路から都市ガス等のガス燃料が供給される。なお、加熱手段、点火装置、点火検出装置はこのような形態に限定されない。
【００１６】
グリル１は、内部が加熱室となるグリル庫１０に、加熱手段としてのガスバーナを備える。グリル１は、図２に示すように、ガスバーナとして、グリル庫１０の上面に上バーナ１２を備え、グリル庫１０の左右の側壁の下部に下バーナ１３を備える。グリル庫１０は、前端に被加熱物の出し入れのための開口部１１を有する。そして、グリル庫１０の後部には、ガスバーナからの燃焼排ガスをグリル庫１０外に排出する排気通路が設けてある。排気通路は、トッププレート９３の後部に設けた排気口９６に繋がっており、排気口９６から前記燃焼排ガスが排出される。
【００１７】
グリル庫１０には、前後に移動自在でグリル皿２が設けられる。グリル皿２は、この移動によって、開口部１１から前方へ突出した状態と、グリル庫１０内に収容した状態とに切り替わる。グリル皿２は、図３に示すように、平面視略矩形状をした上方に開口する容器で形成された受け部２１と、受け部２１の周端から外側に連設されるフランジ部２２とを備える。そして、グリル皿２は、上面に焼き網３（後述する）が載置されて、焼き網３上の被加熱物からの油脂等のなどの滓を受けるものである。なお、グリル皿２の形状は特に限定されない。
【００１８】
また、グリル庫１０の左右の側壁の下バーナ１３の下側には夫々、固定レール（図示せず）が前後方向において長尺に設けられる。この固定レールには夫々、前後にスライド移動自在な中間レール１５が設けてあり、中間レール１５は、前記固定レールに支持される。各中間レール１５には、前後にスライド移動自在な可動レール１４が設けてあり、可動レール１４は、中間レール１５に支持される。各可動レール１４には、グリル皿２のフランジ部２２が載置されており、可動レール１４はグリル皿２を伴って前後にスライド移動する。
【００１９】
また、可動レール１４の前端部には、グリル庫１０の開口部１１を開閉するグリル扉１６が固定してある。グリル扉１６の前面には把持部が設けてある。グリル１は、この把持部を掴んでグリル扉１６を前方へ引き出すことで、可動レール１４及びグリル皿２を開口部１１を介して前方へ移動させることができる。そして、グリル１は、この前方に移動させた状態からグリル扉１６を後方へ押し込むことで、可動レール１４及びグリル皿２をグリル庫１０内に収容させることができる。なお、グリル皿２を前後に移動自在とする構成は、固定レールと可動レール１４と中間レール１５とを用いた構成に限らず、例えばグリル庫１０の左右の側壁に溝を形成し、グリル皿２の側端部を前記溝に挿入することで、グリル皿２を前後に移動自在とするもの等であってもよい。
【００２０】
図３に示すように、グリル皿２上には、被加熱物を載置するための焼き網３が載置され、焼き網３上の被加熱物を上バーナ１２及び下バーナ１３で上下から加熱するように構成されている。焼き網３は、図３〜５に示すように、被加熱物が載置される網部材４と、網部材４を支持する支持部材５とで形成されており、網部材４を支持部材５を介してグリル皿２に載置することで、グリル皿２上に取り付けられる。
【００２１】
支持部材５は、本実施形態では図６及び図７に示すように、被載置部５１と、脚部５２と、網支持部５３と、上突出部５４と、下突出部５６と、を備えており、これらは、一つの線材が環状に連続する平面視略矩形状をした枠体により形成される。
【００２２】
被載置部５１は、左右一対に設けてある。そして、被載置部５１は各々、平面視略矩形状をした枠の左右の辺をなす側辺部５１ａと、側辺部５１ａの前端から夫々幾分か内側（左右方向の中央側）の位置までの前辺部５１ｂと、側辺部５１ａの後端から内側に向けて伸びた後辺部５１ｃと、で構成される。この側辺部５１ａと前辺部５１ｂと後辺部５１ｃとは、枠の下端に位置し、グリル皿２の上面に載置される。
【００２３】
脚部５２は、左右一対に設けてある。そして、脚部５２は各々、前脚部５２ａと、後脚部５２ｂと、で構成される。前脚部５２ａは、前辺部５１ｂの前端から上側に連設されており、前辺部５１ｂの内側端から内側斜め前方に突出する。後脚部５２ｂは、後辺部５１ｃの後端から上側に連設されている。
【００２４】
網支持部５３は、左右一対に設けてある。そして、網支持部５３は各々、前網支持部５３ａと、後網支持部５３ｂと、で構成される。前網支持部５３ａは、前脚部５２ａに連設されており、前脚部５２ａの上端から左右方向（横方向）における内側（中央側）に略水平に突出する。後網支持部５３ｂは、後脚部５２ｂに連設されており、後脚部５２ｂの上端から左右方向における内側に略水平に突出する。
【００２５】
上突出部５４は、網支持部５３から上側に連設される部分となっている。そして上突出部５４は、前網支持部５３ａの内側端から上側に連設される正面視略コ字状で下向きに開口した前上突出部５４ａと、後網支持部５３ｂの内側端から上側に連設される正面視略コ字状で下向きに開口した後上突出部５４ｂと、で構成される。言い換えると、支持部材５は、前端側に前上突出部５４ａを備え、後端側に後上突出部５４ｂを備える。そして支持部材５は、前上突出部５４ａの両側の下端に夫々前網支持部５３ａを備え、後上突出部５４ｂの両側の下端に夫々後網支持部５３ｂを備える。
【００２６】
前上突出部５４ａは、上端が下端よりも左右方向における中央側に位置するように傾いている。また前上突出部５４ａは、上端が下端よりも後方に位置するように傾いている。そして支持部材５は、前上突出部５４ａの上端辺部の左右方向における中央に、この上端辺部から下方に連設される正面視略コ字状で上向きに開口した下突出部５６を備える。このため、前上突出部５４ａは、前記略コ字において、上端辺部の中央側が欠けた形状になっている。言い換えると、前上突出部５４ａは、正面視上下逆様の略Ｌ字状の二つの部材が左右対称に並んだ形状となっている。なお、本実施形態では、前上突出部５４ａと下突出部５６とを一つの線材で形成したために、前上突出部５４ａを前記中央側の欠けた形状としているが、下突出部５６を枠体５ａ（前上突出部５４ａ）と別の部材（線材）で形成してもよい。
【００２７】
下突出部５６は、下端が上端より後方に位置するように傾いている。言い換えると、下突出部５６は、前上突出部５４ａの上端から後方下向きに連設されている。このため、下突出部５６は、前上突出部５４ａの上端より後方に位置する。そして下突出部５６は、下端が前網支持部５３ａと略同じ高さ位置あるいは前網支持部５３ａより若干低い位置に設けてある。
【００２８】
後上突出部５４ｂは、図６及び図８に示すように、前上突出部５４ａよりも高く形成されている。後上突出部５４ｂの後網支持部５３ｂから連設される縦辺部は、下端から前上突出部５４ａの上端と略同じあるいは若干低い中間位置までの下部と、この中間位置から上端までの上部とで形状が異なる。縦辺部の下部は、中間位置が下端より左右方向における中央側に位置するように傾いている。縦辺部の上部は、上端が中間位置より左右方向における外側（中央から離れる側）に位置するように傾いている。そして縦辺部は、下端と上端とが平面視略重なって位置する。言い換えると、後上突出部５４ｂは、上部に下部より左右方向における外側に膨出する膨出部５７を、左右一対で備える。このため、後上突出部５４ｂは、縦方向（上下方向）において、中間位置に向かう程、左右方向において中央側に凹む形状となっている。
【００２９】
また本実施形態では、後脚部５２ｂの後端に、後板部５５が設けられている。後板部５５は、左右の後脚部５２ｂの間に跨って配置される。そして、後板部５５は、その下端部の左右に夫々、位置決め部６としての突起（焼き網突起５５ａ）が設けられている。位置決め部６は、支持部材５がグリル皿２の所定の載置位置（以下、正規位置という）に載置されるため、グリル皿２と支持部材５の一方または両方に設けられるもので、本実施形態では、両方に設けられる。このため、後板部５５に設けられる焼き網突起５５ａとグリル皿２において、左右の焼き網突起５５ａに対応する箇所に夫々形成される焼き網突起挿通孔（図示せず）とで位置決め部６が構成される。そして、支持部材５は、左右の焼き網突起５５ａを左右の前記焼き網突起挿通孔に挿通して、フランジ部２２に載置される。これにより、焼き網３は、グリル皿２に対して正規位置に載置される。
【００３０】
網部材４は、図３に示すように、グリル皿２よりも小さいか同程度の大きさの平面視略矩形状をした外枠４１と、被加熱物を載置するための網体とを備える。外枠４１は、例えば支持部材５に比べて細い線材で形成される。この網体は、外枠４１の左右方向において対向する二つの側辺部間に架設されており、例えば、図９に示すように、複数の棒部材４２で形成される。棒部材４２は、例えば外枠４１に比べて細い線材となっており、複数の棒部材４２は、前後方向において互いに所定の幅で離れて配置される。
【００３１】
また、網部材４には、図５に示すように、支持部材５の上突出部５４が挿通され網支持部５３に載置される被支持部４３，４４が設けられる。本実施形態では、図９に示すように、外枠４１の前後の辺部（前辺部及び後辺部）から夫々内側（網部材４の平面視における中央側）に略コ字状をした被支持枠が取り付けられて、前側と後側の被支持部４３、４４が構成されている。
【００３２】
前側の被支持部４３は、平面視において外枠４１より内側に設けてある。そして、前側の被支持部４３は、平面視略コ字状で前方に開口した前側の被支持枠４３ａを備える。前側の被支持枠４３ａは、その左右両方の前端が外枠４１の前辺部（前端）に固着・一体化されている。更に、前側の被支持枠４３ａは、左右両方の側辺部を夫々対応する前網支持部５３ａに当接・載置することで、支持部材５に支持される。また外枠４１の前辺部において、前側の被支持枠４３ａの前端の各固着位置から夫々左右方向における近い側の端部までの左右方向における間隔は、互いに略同寸となっている。言い換えると、前側の被支持枠４３ａの左右両方の前端は、外枠４１の前辺部の左右方向における中央寄りの部位に固着・一体化されている。
【００３３】
このため、前側の被支持部４３は、外枠４１の前端（前辺部）内側に、前側の被支持枠４３ａと外枠４１の前辺部とで、上下に開口した窓部（前側の窓部）を形成している。そして、この窓部（前側の被支持枠４３ａと外枠４１の前辺部とで囲まれる領域）が、前上突出部５４ａ及び下突出部５６を挿通する前挿通領域４７となっている。更に、この窓部を形成する左右夫々の側端縁が、前網支持部５３ａに当接される部位（前側の被支持枠４３ａの側辺部）となっている。
【００３４】
また、前側の被支持枠４３ａの左右の側辺部の間隔Ｗ４１は、支持部材５の前上突出部５４ａの左右の縦辺部の下端の間隔Ｗ５１よりも若干だけ長く形成されていると共に、左右の前網支持部５３ａの間隔よりも短く形成されている。
【００３５】
更に、前側の被支持枠４３ａは、その後辺部の中間部位において、後方（前後方向における中央側）に突出する前曲げ部４５が形成されている。前曲げ部４５は、平面視略コ字状で前方に開口しており、その両側の前端が夫々、前記後辺部の両側の各部位に連設される。そして、前曲げ部４５の左右方向における幅は、前側の被支持枠４３ａの左右の側辺部の間隔Ｗ４１よりも短い。
【００３６】
後側の被支持部４４は、平面視において外枠４１より内側に設けてある。そして、後側の被支持部４４は、平面視略コ字状で後方に開口した後側の被支持枠４４ａを備える。後側の被支持枠４４ａは、その左右両方の後端が外枠４１の後端（後辺部）に固着・一体化されている。更に、後側の被支持枠４４ａは、左右両方の側辺部を夫々対応する後網支持部５３ｂに当接・載置することで、支持部材５に支持される。また外枠４１の後辺部において、後側の被支持枠４４ａの後端の各固着位置から夫々左右方向における近い側の端部までの左右方向における間隔は、互いに略同寸となっている。言い換えると、後側の被支持枠４４ａの左右両方の前端は、外枠４１の後辺部の左右方向における中央寄りの部位に固着・一体化されている。
【００３７】
このため、後側の被支持部４４は、外枠４１の後端（後辺部）内側に、後側の被支持枠４４ａと外枠４１の後辺部とで、上下に開口した窓部（後側の窓部）を形成している。そして、この窓部（後側の被支持枠４４ａと外枠４１の後辺部とで囲まれる領域）が、後上突出部５４ｂを挿通する後挿通領域４８となっている。更に、この窓部を形成する左右夫々の側端縁が、後網支持部５３ｂに当接される部位（後側の被支持枠４４ａの側辺部）となっている。
【００３８】
また、前側の被支持枠４３ａと同様に、後側の被支持枠４４ａの左右の側辺部の間隔Ｗ４２は、支持部材５の後上突出部５４ｂの左右の縦辺部の下端の間隔Ｗ５２よりも若干だけ長く形成されると共に、左右の後網支持部５３ｂの間隔よりも短く形成されている。また、後側の被支持枠４４ａの左右の側辺部の前後長さＬ４３は、支持部材５の線材の太さよりも大寸で（後上突出部５４ｂの前後長さより長く）形成される。そして、後上突出部５４ｂは、後側の被支持枠４４ａに対して、前記前後長さＬ４３の略半分となる寸法位置で、左右方向に並ぶ。
【００３９】
更に、後側の被支持枠４４ａは、その前辺部の中間部位において、前方（前後方向における中央側）に突出する後曲げ部４６が形成されている。後曲げ部４６は、平面視略コ字状で後方に開口しており、その両側の後端が夫々、前記前辺部の両側の各部位に連設される。そして、後曲げ部４６の左右方向における幅は、後側の被支持枠４４ａの左右の側辺部の間隔Ｗ４２よりも短い。
【００４０】
また、図４に示すように、前挿通領域４７は、平面視において、支持部材５の前上突出部５４ａ及び下突出部５６の両方と対応する位置に形成されている。このため、前挿通領域４７は、前上突出部５４ａ及び下突出部５６が挿通され、その側端縁（前側の被支持枠４３ａの側辺部）を前網支持部５３ａ上に当接して取り付けられる。そして、この取り付けた状態（網部材４を載置した状態）において、前記領域に挿通された前上突出部５４ａ及び下突出部５６は、前後方向において若干の遊びを有して、前後方向における位置決め（前後の位置決め）がなされ、更に前上突出部５４ａは、左右方向において若干の遊びを有して、左右方向における位置決め（左右の位置決め）がなされる。
【００４１】
後挿通領域４８は、平面視において、支持部材５の後上突出部５４ｂと対応する位置に形成されている。このため、後挿通領域４８は、後上突出部５４ｂが挿通され、その側端縁（後側の被支持枠４４ａの側辺部）を後網支持部５３ｂ上に当接して取り付けられる。そして、この取り付けた状態（網部材４を載置した状態）において、前記領域に挿通された後上突出部５４ｂは、左右に若干の遊びを有して、左右の位置決めがなされる。
【００４２】
更に、前記領域に挿通された後上突出部５４ｂは、後側の被支持枠４４ａの前後長さＬ４３の略半分の部位と左右方向において並ぶため、後側の窓部（後側の被支持部４４）の前後両方の端縁との間に夫々間隙を有する。そして、この両間隙の前後長さは夫々、外枠５１の前辺部（前側の窓部の前端縁）と前上突出部５４ａとの間や下突出部５６と前曲げ部４５の後辺部（前側の窓部の後端縁）との間等の前後方向における前記遊び（寸法公差）に比べて長い。このため、前記領域に挿通された後上突出部５４ｂは、後挿通領域４８に対して直接的な（当接による）前後の位置決めがなされない。しかしながら、後挿通領域４８に挿通された後上突出部５４ｂは、前挿通領域４７に挿通された前上突出部５４ａ及び下突出部５６の前後の位置決めにより、間接的に前後の位置決めがなされる。
【００４３】
このように、前上突出部５４ａは、左右両方の縦辺部の下端部の前面部側が、網部材４を前方において位置規定する前位置規定部７１となっており、網部材４は前位置規定部７１により後方への移動（後移動）が規制される。そして、下突出部５６は、左右両方の縦辺部の下端部の後面部側が、網部材４を前位置規定部７１より後方において位置規定する後位置規定部７２となっており、網部材４は後位置規定部７２により前方への移動（前移動）が規制される。このため、支持部材５は、前部５ａに、前後両方の位置規定部７（前位置規定部７１及び後位置規定部７２）を備える。
【００４４】
また、前上突出部５４ａは、左側の縦辺部の下端部の左側面部側が、網部材４を左側において位置規定する左位置規定部７３となっており、網部材４は左位置規定部７３により右側への移動（右移動）が規制される。そして、前上突出部５４ａは、右側の縦辺部の下端部の右側面部側が、網部材４を右側において位置規定する右位置規定部７４となっており、網部材４は右位置規定部７４により左側への移動（左移動）が規制される。
【００４５】
更に、後上突出部５４ｂは、左側の縦辺部の下端部の左側面部側が、網部材４を左側において位置規定する左位置規定部７５となっており、右側の縦辺部の下端部の右側面部側が、網部材４を右側において位置規定する右位置規定部７６となっている。このため、支持部材は、前後両方（前部５ａ及び後部５ｂ）の各々に、左右両方の位置規定部７（左位置規定部７３，７５及び右位置規定部７４，７６）を備える。
【００４６】
言い換えると、支持部材５は、前位置規定部７１（後移動規制部）が、前上突出部５４ａに設けてあり、後位置規定部７２（前移動規制部）が、下突出部５６に設けてあり、これにより前後方向における位置を規定可能となっている。そして、支持部材５は、左右両方の位置規定部７が、各上突出部５４（前上突出部５４ａ及び後上突出部５４ｂ）に夫々設けてあり、これにより左右方向における位置を前後の両方で規定可能となっている。
【００４７】
すなわち、網部材４は、支持部材５に対して前後及び左右に位置決めされた状態で、支持部材５に載置することが可能となっている。言い換えると、網部材４は、支持部材５に対する前後及び左右の移動が規制された状態で、支持部材５に載置することができる。以下、この位置決めされた位置を網正規位置という。なお、網部材４は、前述の通り、支持部材５との間に前記寸法公差等の遊びを有しているが、この遊びを有しないものであってもよく、この場合、網部材４は、支持部材５に載置された状態で、各位置規定部７の対応する各面部に当接されて、位置が規定される。
【００４８】
また、図５に示すように、網部材４を網正規位置で支持部材５に載置した状態において、前上突出部５４ａ及び下突出部５６の一部は、前側の支持枠４３ａより上方に突出して位置する。この上方に突出した部位の根本（前側の支持枠４３ａと同一平面上に並ぶ位置）の前後長さＬ５１は、前側の支持枠４３ａの側辺部の後端とこの後端に隣接する最前の棒部材４２（前記網体の前端）との間の前後長さＬ４２に比べて長い。そして、この根本の前後長さＬ５１は、前述の通り、前位置規定部７１と後位置規定部７２との前後方向における間隔となる。
【００４９】
このため、図４に示すように、前後の位置規定部７の前後方向における間隔は、外枠４１の前辺部と前側の支持枠４３ａの側辺部に連設する後辺部との間の前後長さＬ４１よりも長い。そして、この前後の位置規定部７の間隔は、前記前後長さＬ４２より長く、前部５ａの窓部の後端縁（前曲げ部４５の後辺部）と最前の棒部材４２（前記網体の前端）との間の前後長さＬ４４より長い。そして、この前後長さＬ４４は、支持部材５の線材の太さよりも小寸となっている。なお、網部材４は、図１０に示すように、前曲げ部４５や後曲げ部４６が形成されていないものであってもよい。この場合、前側の窓部の後端縁は、前側の被支持枠４３ａの側辺部に連設された後辺部となり、後側の窓部の前端縁は、後側の被支持枠４４ａの側辺部に連設された後辺部となる。
【００５０】
また、網部材４は前後対称な形状（平面視において回転対称な形状）となっている。これにより、前後方向において特段区別することなく、網部材４を誤った姿勢で載置する可能性を低減させることができる。言い換えると、網部材４は、前後向きの違いによって、支持部材５への載置姿勢が誤ったものとなることを生じ難くすることができる。
【００５１】
このため、網部材４を支持部材５の網正規位置より左右においてずれた位置に載置しようとする場合には、網部材４の前側の被支持枠４３ａの左右の側辺部が、支持部材５の前上突出部５４ａに当接し、後側の被支持枠４４ａの左右の側辺部が、支持部材５の後上突出部５４ｂに当接する。このため、網部材４は、支持部材５に対して、網正規位置より左右においてずれて載置することができず、使用者にずれていることが認識される。
【００５２】
そして、網部材４を支持部材５の網正規位置より所定距離（後側の被支持枠４４ａの前辺部と前記網体の後端との間の距離以下）後方に載置しようとする場合には、後側の被支持枠４４ａの後曲げ部４６や前記網体の後端（最後の棒部材４２）に、支持部材５の後上突出部５４ｂが当接する。このため、網正規位置より前方にずれて載置されることができず、使用者にずれていることが認識される。
【００５３】
また、網部材４を支持部材５の網正規位置より所定距離（前側の被支持枠４３ａの後辺部と最前の棒部材４２との間の距離以下）前方に載置しようとする場合には、前側の被支持枠４３ａの前曲げ部４５や最前の棒部材４２に、前上突出部５４ａや下突出部５６が当接するため、網正規位置より後方にずれて載置されることができず、使用者にずれていることが認識される。
【００５４】
更に、本実施形態においては、前後の上突出部５４をいずれも上端が下端より左右の中央側に位置するよう傾いて設けたため、前後の被支持部４３，４４が夫々の載置される時に、対応する各上突出部５４の下端部に当接される。言い換えると、各上突出部５４は、前挿通領域４７及び後挿通領域４８の挿通をガイドせず、左右両方の位置規定部７は、前後共に、略同じ高さで設けてある。
【００５５】
ここで、網部材４を支持部材５に載置するには、まず、後挿通領域４８に後上突出部５４ｂを挿通させて後側の被支持部４４を後網支持部５３ｂに載置する。このとき、後上突出部５４ｂは、縦方向において中間位置に向かう程凹む形状となっているため、挿通途中から載置されるまであるいは載置直前まで、少なくとも一方の縦辺部が後側の被支持部４４の側辺部に当接しなくなる。言い換えると、後上突出部５４ｂは、後側の被支持部４４を後網支持部５３ｂに載置するためのガイド部として機能しない。このため、例えば、網部材４や支持部材５にフッ素被膜等による表面処理（コーティング）を施したものを用いた場合等では、後上突出部５４ｂと後側の被支持部４４との摺動に起因するフッ素被膜の剥がれや削れ等のコーティング部位の摩耗を抑制することができる。また、後上突出部５４ｂが前上突出部５４ａよりも高く形成されていることで、前挿通領域４７に前上突出部５４ａを挿通する場合に比べて、後挿通領域４８に後上突出部５４ｂを挿通させ易い。
【００５６】
次に、網部材４の後端側を中心にして前端側を下方に回動させて、前挿通領域４７に前上突出部５４ａを挿通させて、前側の被支持部４３を前網支持部５３ａに載置する。このとき、前上突出部５４ａは、上端が下端より左右の中央側に位置するため、前側の被支持部４３を前網支持部５３ａに載置するまであるいはその直前まで、少なくとも一方の縦辺部が前側の被支持部４３の側辺部に当接しない。言い換えると、前上突出部５４ａは、前側の被支持部４３を前網支持部５３ａに載置するためのガイド部として機能しない。このため、例えば、網部材４や支持部材５にフッ素被膜等による表面処理（コーティング）を施したものを用いた場合等では、前上突出部５４ａと前側の被支持部４３との摺動に起因するフッ素被膜の剥がれや削れ等のコーティング部位の摩耗を抑制することができる。また、前上突出部５４ａは上端が下端よりも後方に位置するように傾いているため、網部材４の後端側を中心にして前端側を回動させる際、前挿通領域４７に前上突出部５４ａを挿通させ易くなっている。
【００５７】
このように、本実施形態においては、前後の被支持枠４３ａ，４４ａを外枠４１に囲まれた平面視における内部空間（内方）に設けてある。このため、本実施形態においては、被支持枠４３ａ，４４ａを外枠４１の外側に設けた場合に比べて、網部材４の載置や取外し時に、前後の被支持枠４３ａ，４４ａのみでの網部材４の把持（使用者による保持）や前後の被支持枠４３ａ，４４ａの外部との接触等を抑制することができる。これによって、本実施形態においては、例えば、前後の被支持枠４３ａ，４４ａを外枠４１に比べて低強度（細い線材）で形成可能となったり、前記載置や取外し時等に前後の被支持枠４３ａ，４４ａの変形を抑制したりすることができる。
【００５８】
更に、本実施形態においては、前部５ａに前後両方の位置規定部７を設けたことで、この位置規定部７（や前上突出部５４ａ、下突出部５６）等と前挿通領域４７とを視認しながら、的確に網部材４を前後両方の位置規定部７に当接させることができる。このため、網部材４は、前後の被支持部４３，４４の共同で前後を位置決めさせる場合に比べて、容易に前後を位置決めさせた状態で支持部材５に取り付けることができる。これにより、本実施形態においては、網正規位置に取り付け易くなり（網正規位置からずれて取り付けられ難くなり）、使い勝手の良いグリル１とすることができる。
【００５９】
そして、本実施形態においては、網部材４の網正規位置からずれた載置（取付け）を防止したことで、網部材４が網正規位置に載置されずにグリル庫１０に収容されることによる問題点（すなわち、焼き網３に載置された被加熱物が設計通りに加熱されない恐れがある点や、グリル庫１０内で網部材４が網正規位置から更にずれてしまい、グリル庫１０からグリル皿２を引き出す際に、焼き網３によりグリル庫１０が破損したりグリル皿２や焼き網３を引き出せなくなったりする恐れがある点）を解消し易くすることができる。
【００６０】
更に、本実施形態においては、下突出部５６を設けたことで、網部材４上に皿等を載置する際やその取出し時に、その皿等用の所謂取っ手を下突出部５６の左右中央の空間に挿通して、前記皿等の載置や取出しを行うことができる。このため、本実施形態においては、前記皿等の載置や取出し時に、前記取っ手等の網部材４や支持部材５への接触等による網部材４の網正規位置からのずれを抑制し易くすることができる。
【００６１】
また、本実施形態においては、前部５ａに左右両方の位置規定部７を設けたことで、この位置規定部７等と前挿通領域４７とを視認しながら、的確に網部材４を左右両方の位置規定部７に当接させることができる。このため、網部材４は、容易に左右を位置決めさせた状態で支持部材５に取り付けることができる。また、本実施形態においては、後部５ｂに左右両方の位置規定部７を設けたことで、網部材４の載置時に、前部５ａより先に後部５ｂで左右を位置決めさせた状態にして、前部５ａの窓部に前上突出部５４ａ及び下突出部５６を挿通させる（嵌め込む）ことができる。
【００６２】
そして、本実施形態においては、前後両方に左右の位置規定部７を設けたことで、網正規位置において、前後両方で網部材４の左右を位置決めさせることができる。このため、本実施形態においては、網部材４や支持部材５に前記寸法公差等の遊びを有する場合において、前後の一方で左右を位置決めさせた状態で、前後の残り一方（この状態に位置決めされていない側）における左右のぶれを抑制し易くすることができる。すなわち、本実施形態においては、後部５ｂで先に左右を位置決めさせることで、前部５ａの左右のぶれを抑制して、前部５ａでの左右の位置決めを行い易くすることができる。
【００６３】
更に、本実施形態においては、網部材４を前後対称な形状としたことで、前後向きの違いを無くすことができる。このため、本実施形態では、前後向きの違いによって、誤った載置姿勢となることを抑制することができる。これにより、本実施形態においては、網部材４を支持部材５に正しい載置姿勢で載置し易くすることができる。
【００６４】
また、本実施形態においては、網部材４が支持部材５に支持される状態（載置された状態）で、外枠４１の後辺部とその前方に位置する支持部材５の後部５ｂ（後上突出部５４ｂ）との間に隙間を有する。このため、本実施形態においては、支持部材５の前部５ａより先に後部５ｂに載置した場合等において、後部５ｂに支持された状態を維持して網部材４が前後に移動することができて、網部材４の前部５ａへの載置を行い易くすることができる。そして、本実施形態においては、前記後側の窓部（後挿通領域４８）に支持部材５の後部５ｂを挿通させて、後挿通領域４８に支持部材５を嵌め込むため、この窓部の後端縁（外枠４１の後辺部）と同じ高さにおける前方に、後部５が位置する。このため、本実施形態においては、前部５ａより先に後部５ｂに載置した状態で、例えば使用者が網部材４を前方に引張りながら前部５ａに載置しようとした際に、前記窓部の後端縁等によって、網部材４の後部５ｂからの脱落を抑制することができる。
【００６５】
更に、本実施形態においては、前後両方に左右の位置規定部７を設けたことで、左右の位置決めを維持して、支持部材５に載置された網部材４を、前部５ａ側を支点として後部５ｂ側を上方に回動（前回動）させたり、後部５ｂ側を支点として前部５ａ側を上方に回動（後回動）させたりすることができる。言い換えると、本実施形態においては、網部材４の前回動や後回動時に、網部材４を左右に傾き難くすることができる。このため、本実施形態においては、前回動や後回動時に、この回動の支点側に位置する被支持部４４，４３の網支持部５３からの脱落を抑制することができる。これによって、本実施形態においては、例えば、加熱後の被加熱物が前記網体等に付着する（こびり付く）等で、この被加熱物の取出しに伴って網部材４が前上方や後上方に回動された場合等に、網部材４の支持部材５からの脱落を抑制することができる。
【００６６】
なお、本発明は、前述した実施形態の構成のみに限定されるものではなく、本発明の意図する範囲内であれば、適宜の設計変更を行うことが可能である。例えば、支持部材５は、左右両方の位置規定部７を前部５ａのみに備えるものであってもよい。この場合、支持部材５は、後網支持部５３ｂを左右一対で備えるものに限らず、左右の一方に備えるものや、左右の中央に一つ備えるもの等であってもよい。
【符号の説明】
【００６７】
１  グリル
１０  グリル庫
１１  開口部
２  グリル皿
３  焼き網
４  網部材
４１  外枠
４２  棒部材
４３  前側の被支持部
４４  後側の被支持部
４７  前挿通領域
４８  後挿通領域
５  支持部材
５ａ  前部
５ｂ  後部
５１  被載置部
５３  網支持部
５３ａ  前網支持部
５３ｂ  後網支持部
５４  上突出部
５４ａ  前上突出部
５６  下突出部
７  位置規定部
７１  前位置規定部
７２  後位置規定部
Ｌ４４  窓部の後端縁と網体の前端との間の前後長さ
Ｌ５１  前位置規定部と後位置規定部との間隔の前後長さ
【図１】
2014102046.tif 000003
【図２】
2014102046.tif 000004
【図３】
2014102046.tif 000005
【図４】
2014102046.tif 000006
【図５】
2014102046.tif 000007
【図６】
2014102046.tif 000008
【図７】
2014102046.tif 000009
【図８】
2014102046.tif 000010
【図９】
2014102046.tif 000011
【図１０】
2014102046.tif 000012